(57)【要約】      （修正有）【課題】マッサージヘッドを交換し、全体として棄却率を減らし、購買のコストを削減することができ、着脱を速くすると共に、ニーズに応じて、異なるマッサージヘッドを選択して装着できる美容用梳を提供する。【解決手段】本考案は、胴体１と、前記胴体に交換可能に取り付けられるマッサージヘッド２と、を含む美容用梳を開示している。さらに胴体に充電可能な充電ハンドル３が設置され携帯にも便利である。【選択図】図１
0003232761.tif 000002
【実用新案登録請求の範囲】
【請求項１】
胴体（１）、及び、前記胴体（１）に交換可能に取り付けられるマッサージヘッド（２）を含む、ことを特徴とする、美容用梳。
【請求項２】
前記胴体（１）は、底部ケース（１１）及び外面ケース（１２）を含み、前記底部ケース（１１）と前記外面ケース（１２）とは、係合具を介して接続され、前記底部ケース（１１）と前記外面ケース（１２）との間には、チャンバーが形成され、前記チャンバーは、内部に、コントロールパネル（１３）及び振動モーター（１４）が取り付けられ、前記コントロールパネル（１３）には、一つ以上の接点（１３１）及び設定指示ランプ（１３２）が設置され、前記外面ケース（１２）には、前記マッサージヘッド（２）を取り付けるための取り付け面（１５）が開設され、前記取り付け面（１５）は、面部取り付け穴（１５１）を含み、前記面部取り付け穴（１５１）は、辺縁に、前記接点（１３１）を取り付けるための貫通穴（１５２）が設置され、前記面部取り付け穴（１５１）に対応するチャンバーには、前記マッサージヘッド（２）を固定するための固定手段（１６）が取り付けられ、しかも、前記外面ケース（１２）には、前記振動モーター（１４）が振動するように制御できるキー（１７）及びＥＭＳ電波設定鍵（１８）が設置される、ことを特徴とする、請求項１に記載の美容用梳。
【請求項３】
前記コントロールパネル（１３）は、メインパネルＰＣＢ（１３３）、変圧器パネルＰＣＢ（１３４）及びランプパネルＰＣＢ（１３５）を含み、前記メインパネルＰＣＢ（１３３）及び前記ランプパネルＰＣＢ（１３５）は、共に、前記変圧器パネルＰＣＢ（１３４）に電気接続され、一つ以上の前記接点（１３１）は、前記メインパネルＰＣＢ（１３３）に設置され、前記設定指示ランプ（１３２）は、前記ランプパネルＰＣＢ（１３５）に設置される、ことを特徴とする、請求項２に記載の美容用梳。
【請求項４】
前記固定手段（１６）は、前記胴体（１）に設置される第一磁石、及び、前記マッサージヘッド（２）に設置される第二磁石を含み、前記マッサージヘッド（２）は、第一磁石と第二磁石との吸着により、前記胴体（１）に固定される、ことを特徴とする、請求項２に記載の美容用梳。
【請求項５】
前記底部ケース（１１）には、後方穴（１１１）が開設され、前記後方穴（１１１）は、前記面部取り付け穴（１５１）と、互い対向して分布される、ことを特徴とする、請求項２に記載の美容用梳。
【請求項６】
前記胴体（１）に設置され、充電可能な充電ハンドル（３）をさらに含み、前記充電ハンドル（３）は、ハンドルハウジング（３１）を含み、前記ハンドルハウジング（３１）には、リチウム電池（３２）及び充電端子（３３）が取り付けられ、前記リチウム電池（３２）は、前記胴体（１）に給電する、ことを特徴とする、請求項１から５のいずれの一つに記載の美容用梳。
【請求項７】
前記充電端子（３）と対応する充電ホルダー（４）をさらに含み、前記胴体（１）が前記充電ホルダー（４）に挿入されることにより充電可能である、ことを特徴とする、請求項６に記載の美容用梳。
【請求項８】
前記マッサージヘッド（２）は、前記胴体（１）を設置する取り付け面（１５）に取り付けるための取り付け座（２１）を含み、前記取り付け座（２１）には、肌電気刺激及び美容効果を有する美容部材（２２）が設置される、ことを特徴とする、請求項２から５のいずれかの一つ、又は、７に記載の美容用梳。
【請求項９】
前記取り付け座（２１）は、第一ハウジング（２１１）を含み、前記第一ハウジング（２１１）は、内部に、複数の第一接点（２１２）及び第一固定磁石（２１３）が取り付けられ、前記第一ハウジング（２１１）は、内部に、前記美容部材（２２）が取り付けられ、前記美容部材（２２）は、第一ＰＣＢパネル（２２１）を含み、前記第一ＰＣＢパネル（２２１）には、正極梳ヘッド（２２２）、負極梳ヘッド（２２３）、及び、赤色光、青色光及び緑色光を有する第一美容ランプ（２２４）が設置され、前記正極梳ヘッド（２２２）及び負極梳ヘッド（２２３）には、第一外面ケース（２２５）が設置され、前記第一ＰＣＢパネル（２２１）と前記第一ハウジング（２１１）との間には、第一防水粘着手段（２２６）が設置され、前記第一美容ランプ（２２４）には、第一美容ランプ蓋板（２２７）が設置される、ことを特徴とする、請求項８に記載の美容用梳。
【請求項１０】
前記取り付け座（５１）は、第二ハウジング（５１１）を含み、前記第二ハウジング（５１１）は、内部に、複数の第二接点（５１２）及び第二固定磁石（５１３）が取り付けられ、前記第二ハウジング（５１１）は、内部に、前記美容部材（２２）が取り付けられ、前記美容部材（２２）は、第二ＰＣＢパネル（３２１）を含み、前記第二ＰＣＢパネル（５２１）の少なくとも一つは、赤色光、青色光及び緑色光を有する第二美容ランプ（５２２）を有し、前記第二ＰＣＢパネル（５２１）には、第二外面ケース（５２３）が覆われており、前記第二外面ケース（５２３）には、前記第二ＰＣＢパネル（５２１）における電流と電圧を導出するための鋼シート（５２４）が設置され、前記第二ＰＣＢパネル（５２１）と前記第二ハウジング（５１１）との間には、第二防水粘着手段（５２５）が設置され、前記第二美容ランプ（５２２）には、第二美容ランプ蓋板（５２６）が設置される、ことを特徴とする、請求項８に記載の美容用梳。
【考案の詳細な説明】
【技術分野】
【０００１】
本考案は、美容用梳の技術分野に関し、美容用梳に関する。
【背景技術】
【０００２】
人々の生活レベルの向上及び生活の生活リズムの加速に伴い、時間と労力を節約するだけでなく、美容と美髪の要求も満たすように、美容用梳が現れた。例えば、登録番号がＣＮ２０８９８９６１０Ｕの中国実用新案は、マッサージヘッド及び梳ヘッドに基づく交換可能な装置を開示しており、それは、ハンドルを含み、ハンドルには、取り付け口が設けられる。取り付け口には、マッサージヘッドが設けられ、マッサージヘッドは、第一底部ケース及び第一外面ケースを含み、第一底部ケースには、複数の支持座が設けられ、各支持座には、金属材とされる回転軸が取り付けられ、回転軸には、金属材とされる多面体のローラーが周設され、第一外面ケースには、複数の窓口が開設され、多面体ローラーの側辺は、窓口に通されており、第一底部ケースには、第一金属接触部が設けられる。第一金属接触部は、回転軸に電気接続され、第一底部ケースは、背側に第一貫通穴が設けられ、ハンドルには、回路パネルが設けられ、取り付け口には、プローブが設けられる。マッサージヘッドが取り付け口に取り付けられている場合に、プローブが第一貫通穴を貫通して第一金属接触部に当接することになる。回路パネルは、微弱電流を出力するためのものであり、当該微弱電流は、順に、プローブ、第一金属接触部及び回転軸を経由して、多面体ローラーに転送する。マッサージヘッド及び梳ヘッドに基づく交換可能なものであるものの、この両者のマッサージヘッド及び梳ヘッドは、取り外しして交換することに役立たないため、全体として、棄却率が上がり、コストも大きくなる。このような事実に鑑み、改良が必要となる。
【考案の概要】
【考案が解決しようとする課題】
【０００３】
本考案は、従来技術における欠陥に対して、美容用梳を提供しており、その設計が合理的なものであり、マッサージヘッドを交換し、全体として棄却率を減らし、購買用のコストを削減することができる以外に、着脱を速くすると共に、ニーズに応じて、異なるマッサージヘッドを選択して装着できることから、一般的な利用者の使用が実現され得る。
【課題を解決するための手段】
【０００４】
上記の目的を達成するために、本考案に採用されている技術手段は、以下の通りである。
胴体、及び、前記胴体に交換可能に取り付けられるマッサージヘッドを含む美容用梳。
【０００５】
好ましくは、前記胴体は、底部ケース及び外面ケースを含み、前記底部ケースと前記外面ケースとは、係合具を介して接続され、前記底部ケースと前記外面ケースとの間にチャンバーが形成され、前記チャンバーは、内部に、コントロールパネル及び振動モーターが取り付けられ、前記コントロールパネルには、一つ以上の接点及び設定指示ランプが設置有され、前記外面ケースには、前記マッサージヘッドを取り付けるための取り付け面が開設され、前記取り付け面は、面部取り付け穴を含み、前記面部取り付け穴は、辺縁に、前記接点を取り付けるための貫通穴が設置され、前記面部取り付け穴に対応するチャンバーには、前記マッサージヘッドを固定するための固定手段が取り付けられる。しかも、前記外面ケースには、前記振動モーターが振動するように制御できるキー及びＥＭＳ電波設定鍵が設置される。
【０００６】
好ましくは、前記コントロールパネルは、メインパネルＰＣＢ、変圧器パネルＰＣＢ及びランプパネルＰＣＢを含み、前記メインパネルＰＣＢ及び前記ランプパネルＰＣＢは、共に、前記変圧器パネルＰＣＢに接続され、前記メインパネルＰＣＢは、それぞれ、前記変圧器パネルＰＣＢ及び前記ランプパネルＰＣＢに電気接続され、一つ以上の前記接点は、前記メインパネルＰＣＢに設置され、前記設定指示ランプは、前記ランプパネルＰＣＢに設置される。
【０００７】
好ましくは、前記キー及びＥＭＳ電波設定鍵は、それぞれ、前記ランプパネルＰＣＢに電気接続され、前記キー及び前記ＥＭＳ電波設定鍵には、共に、前記コントロールパネルが接続される。
【０００８】
好ましくは、前記固定手段は、前記胴体に設置される第一磁石、及び、前記マッサージヘッドに設置される第二磁塊を含み、前記マッサージヘッドは、第一磁石と第二磁石との吸着により、前記胴体に固定される。
【０００９】
好ましくは、前記底部ケースには、後方穴が開設され、前記後方穴は、前記面部取り付け穴と、互い対向して分布される。
【００１０】
好ましくは、前記マッサージヘッドは、前記取り付け面と対応するように設置されるカバーを含み、前記カバーには、一つ以上の前記接点に対応するマッサージヘッド接点が設置される。
【００１１】
好ましくは、前記胴体に設置され、充電可能な充電ハンドルをさらに含み、前記充電ハンドルは、ハンドルハウジングを含み、前記ハンドルハウジングには、リチウム電池及び充電端子が取り付けられ、前記リチウム電池は、前記胴体に給電する。
【００１２】
好ましくは、前記充電端子と対応する充電ホルダーをさらに含み、前記胴体が前記充電ホルダーに挿入されることにより、充電可能である。
【００１３】
好ましくは、前記マッサージヘッドは、前記胴体を設置する取り付け面に取り付けるための取り付け座を含み、前記取り付け座には、肌電気刺激及び美容効果を有する美容部材が設置される。
【００１４】
好ましくは、前記取り付け座は、第一ハウジングを含み、前記第一ハウジングは、内部に、複数の第一接点及び第一固定磁石が取り付けられ、前記第一ハウジングは、内部に、前記美容部材が取り付けられ、前記美容部材は、第一ＰＣＢパネルを含み、前記第一ＰＣＢパネルには、正極梳ヘッド、負極梳ヘッド、及び、赤色光、青色光及び緑色光を有する第一美容ランプが設置され、前記正極梳ヘッド及び負極梳ヘッドには、第一外面ケースが設置され、しかも、前記第一ＰＣＢパネルと前記第一ハウジングとの間には、第一防水粘着手段が設置され、前記第一美容ランプには第一美容ランプ蓋板が設置される。
【００１５】
好ましくは、前記取り付け座は、第二ハウジングを含み、前記第二ハウジングは、内部に、複数の第二接点及び第二固定磁石が取り付けられ、前記第二ハウジングは、内部に、前記美容部材が取り付けられ、前記美容部材は、第二ＰＣＢパネルを含み、前記第二ＰＣＢパネルの少なくとも一つは、赤色光、青色光及び緑色光を有する第二美容ランプを有し、前記第二ＰＣＢパネルには、第二外面ケースが覆われており、前記第二外面ケースには、前記第二ＰＣＢパネルにおける電流と電圧を導出するための鋼シートが設置され、前記第二ＰＣＢパネルと前記第二ハウジングとの間には、第二防水粘着手段が設置され、前記第二美容ランプには、第二美容ランプ蓋板が設置される。
【考案の効果】
【００１６】
本考案による有益な効果は、以下の通りである。
一、本考案では、胴体に、交換可能なマッサージヘッドが取り付けられ、前記外面ケースには、前記マッサージヘッドを取り付けるための取り付け面が開設され、前記取り付け面は、面部取り付け穴を含み、前記面部取り付け穴は、辺縁に、前記接点を取り付けるための貫通穴が設置され、前記面部取り付け穴に対応するチャンバーには、前記マッサージヘッドを固定するための固定手段が取り付けられ、前記固定手段は、胴体に設置される第一磁石、及び、前記マッサージヘッドに設置される第二磁石を含み、第一磁石と第二磁石との吸着により、前記マッサージヘッドを、前記胴体に固定することにより、マッサージヘッドへの着脱を便宜にすることができ、より便宜に使用が可能となる。
二、本考案では、胴体に充電可能な充電ハンドルがさらに設置され、電気ハンドルには、ハンドルハウジングを含み、前記ハンドルハウジングには、リチウム電池及び充電端子が取り付けられ、前記リチウム電池は、前記胴体に給電する。その設計が合理的なものであり、構成が簡単であり、充電が可能であると共に、前記充電端子に対応する充電ホルダーをさらに含み、前記胴体が前記充電ホルダーに挿入されることにより、充電が可能となり、いつでもどこでも充電可能であり、使用が簡便であり、携帯も簡便である。
【図面の簡単な説明】
【００１７】
【図１】本考案の分解模式図である。
【図２】本考案に係る胴体の実施例の模式図である。
【図３】本考案に係るマッサージヘッドの第一実施例の分解模式図である。
【図４】本考案に係るマッサージヘッドの第一実施例の三次元模式図である。
【図５】本考案に係るマッサージヘッドの第一実施例の正面方向模式図である。
【図６】本考案に係るマッサージヘッドの第一実施例の胴体を分解した模式図である。
【図７】本考案に係るマッサージヘッドの第一実施例の胴体を取り付けている模式図である。
【図８】本考案に係るマッサージヘッドの第二実施例の分解模式図である。
【図９】本考案に係るマッサージヘッドの第二実施例の三次元模式図である。
【図１０】本考案に係るマッサージヘッドの第二実施例の正面模式図である。
【図１１】本考案に係るマッサージヘッドの第二実施例の胴体を取り付けている模式図である。
【考案を実施するための形態】
【００１８】
本考案の説明において、説明するべきところは、「中心」、「上」、「下」、「左」、「右」、「鉛直」、「水平」、「内」、「外」などの用語により指示された方位又は位置関係は、附図に示す方位または位置関係であり、或いは、当該考案に係る製品が使用されている際に、通常に置かれる方位又は位置関係であり、本考案への説明及び簡単な説明を便宜にするためのものに過ぎず、係る装置又は素子が必ず特定の方位を有して特定の方位により構造と操作を行うと指示し又は暗示するものではない。従って、それらは、本考案への限定として理解されるわけではない。その他、「第一」、「第二」、「第三」等の用語は、区別して説明することだけに用いられ、相対的重要性を指示し又は暗示するものとして理解するべきではない。
【００１９】
本考案への説明において、さらに、説明すべきところは、他の明確な規定や限定がない限り、「設置」、「取り付け」、「繋がり」、「接続」という用語を、一般化して理解するべきであり、例えば、固定して接続してもよいし、着脱可能に接続してもよいし、または、一体化に接続してもよい。また、機械接続でもよいし、電気接続でもよい。直接に接続でもよいし、中間媒体を介して間接に接続してもよい。また、二つの素子内部における連通でもよい。当業者にとっては、具体的な場合に応じて、本考案における上記の用語の具体的な意味を理解することが可能である。
【００２０】
本考案に係る目的、技術手段及び利点をより明確に理解しやすいように、以下に、図面及び実施例を参照しながら、本考案をより詳しく説明する。理解するべきところは、ここで説明する具体的な実施例が本考案を解釈するものに過ぎず、本考案の範囲を限定するものではない。また、以下の説明では、必要以外に本考案の概念を混ぜ合わせることを避けるように、公知の構造や技術への説明を省略する。
【００２１】
図１及び図２を参照すると、本考案に係る美容用梳は、胴体１、及び、胴体１に交換可能に取り付けられるマッサージヘッド２を含む。使用の過程では、マッサージヘッド２を交換することにより、使用の心地を便宜に、かつ、より良く向上させると共に、マッサージヘッド２を簡便に洗浄して、便宜に使用が実現され得る。
【００２２】
上記のいずれかの実施例では、図１及び図２に示すように、胴体１は、底部ケース１１及び外面ケース１２を含む。底部ケース１１及び外面ケース１２は、係合具を介して接続され、底部ケース１１と外面ケース１２との間には、チャンバーが形成され、チャンバーは、内部に、コントロールパネル１３及び振動モーター１４が取り付けられ、コントロールパネル１３には、一つ以上の接点１３１及び設定指示ランプ１３２が設置される。コントロールパネル１３は、メインパネルＰＣＢ１３３、変圧器パネルＰＣＢ１３４及びランプパネルＰＣＢ１３５を含む。メインパネルＰＣＢ１３３及びランプパネルＰＣＢ１３５は、共に、変圧器パネルＰＣＢ１３４に接続され、メインパネルＰＣＢ１３３は、それぞれ、変圧器パネルＰＣＢ１３４及びランプパネルＰＣＢ１３５に電気接続され、一つ以上の接点１３１は、メインパネルＰＣＢ１３３に設置され、設定指示ランプ１３２は、ランプパネルＰＣＢ１３５に設置され、外面ケース１２には、マッサージヘッド２を取り付けるための取り付け面１５が開設される。取り付け面１５は、面部取り付け穴１５１を含む。面部取り付け穴１５１は、辺縁に、接点１３１を取り付けるための貫通穴１５２が設置され、面部取り付け穴１５１に対応するチャンバーには、マッサージヘッド２を固定するための固定手段１６が取り付けられる。固定手段１６は、胴体１に設置される第一磁石、及び、マッサージヘッド２に設置される第二磁石を含む。マッサージヘッド２は、第一磁石と第二磁石との吸着により、胴体１に固定され、そのうち、第一磁石と第二磁石との吸着（磁石による吸着）については、正極と負極の磁気吸引により吸着して固定されるということが採用され、磁石によりマッサージヘッド２を吸着することにより、マッサージヘッド２への交換が簡便になる。しかも、外面ケース１２には、振動モーター１４が振動するように制御できるキー１７及びＥＭＳ電波設定鍵１８が設置され、キー１７及びＥＭＳ（ＥＭＳは、全体として、ＥｌｅｃｔｒｉｃＭｕｓｃｌｅＳｔｉｍｕｌａｔｉｏｎと呼ばれ、つまり、つまり、筋肉を電気刺激する技術であり、ＥＭＳは、全体として、筋肉機能電気刺激と呼ばれ、単に「肌電気刺激」と呼ばれる）電波設定鍵１８は、共に、コントロールパネル１３に設置され、ＥＭＳ電波刺激により、より良いマッサージと美顔の効果が得られる。
【００２３】
上記のいずれかの実施例では、図１に示すように、底部ケース１１には、製造や取り付けを便宜にするように、後方穴１１１が開設され、後方穴１１１は、面部取り付け穴１５１と、互い対向して分布される。
【００２４】
上記のいずれかの実施例では、図１に示すように、接点１３１には、金属キャップが採用されており、金属キャップは、導電シリカゲルに接続され、導電シリカゲルは、コントロールパネル１３に、導通して接続されることから、コントロールパネル１３の電流と電圧を、導電シリカゲルを介して、金属キャップに伝達する。
【００２５】
上記のいずれかの実施例では、図１及び図２に示すように、胴体１に設置され、充電可能な充電ハンドル３をさらに含む。充電ハンドル３は、ハンドルハウジング３１を含む。ハンドルハウジング３１には、リチウム電池３２及び充電端子３３が取り付けられ、リチウム電池３２は、胴体１に給電する。充電ホルダー３が簡便に胴体１を充電することにより、使用がより簡便になされる。充電端子３に対応する充電ホルダー４をさらに含み、胴体１が充電ホルダー４に挿入されることにより、充電が可能となり、そして、いつでもどこでも充電を行うことが可能であるため、使用が簡便になる。使用していない際に、充電ホルダー４に置くが、携帯を必要とする場合に、胴体１を充電ホルダー４から取り出すことにより、携帯も簡便になる。
【００２６】
上記のいずれかの実施例では、図４及び図９に示すように、マッサージヘッド２は、胴体１を設置する取り付け面１５に取り付けられる取り付け座２１を含む。取り付け座２１には、肌電気刺激及び美容效果を有する美容部材２２が設置される。本考案は、マッサージヘッド２に交換性を有させることにより、早く着脱への要求が満たされていると共に、マッサージヘッド２を選択的に交換することにより、顔や身体などの他の部分をマッサージすることが可能になり、使用の範囲が広かる。
【００２７】
まず、図３、図４、図５、図６及び図７に示すように、取り付け座２１は、第一ハウジング２１１を含む。第一ハウジング２１１は、内部に、複数の第一接点２１２及び第一固定磁石２１３が取り付けられ、第一ハウジング２１１は、内部に、美容部材２２が取り付けられる。美容部材２２は、第一ＰＣＢパネル２２１を含む。第一ＰＣＢパネル２２１には、正極梳ヘッド２２２、負極梳ヘッド２２３、及び、赤色光、青色光及び緑色光を有する第一美容ランプ２２４が設置され、正極梳ヘッド２２２及び負極梳ヘッド２２３には、第一外面ケース２２５が設置される。しかも、第一ＰＣＢパネル２２１と第一ハウジング２１１との間には、第一防水粘着手段２２６が設置され、第一美容ランプ２２４には、第一美容ランプ蓋板２２７が設置される。第一美容ランプ２２４は、赤色光、青色光及び緑色光を有していることから、赤色光によりしわを解消し老化に勝つ効果を有し、青色光により、毛孔を縮んで皮脂腺の分泌を抑える効果を有し、緑色光により肌を美白させる効果を有する。そして、第一外面ケース２２５と第一ハウジング２１１とが係合されると、正極梳ヘッド２２２と負極梳ヘッド２２３が、第一ハウジング２１１の内部に取り付けられる第一ＰＣＢパネル２２１に接触して導通する。正極梳ヘッド２２２及び負極梳ヘッド２２３は、共に、導電シリカゲル及び金属キャップにより結合してなされたものであり、第一ＰＣＢパネル２２１における電流と電圧を金属キャップの外面に伝達して、ＥＭＳ電波刺激を実現することに寄与でき、より良いマッサージと美顔の効果が得られる。第一接点２１２の位置や数によって、異なるマッサージヘッド２が接続して導通され得る。
【００２８】
次に、図８、図９、図１０及び図１１に示すように、取り付け座２１は、第二ハウジング５１１を含む。第二ハウジング５１１は、内部に、複数の第二接点５１２及び第二固定磁石５１３を含む。第二ハウジング５１１は、内部に、美容部材２２が取り付けられ、美容部材２２は、第二ＰＣＢパネル５２１を含む。第二ＰＣＢパネル５２１の少なくともの一つは、赤色光、青色光及び緑色光を有する第二美容ランプ５２２を有し、第二ＰＣＢパネル５２１には、第二外面ケース５２３が覆われており、第二外面ケース５２３には、第二ＰＣＢパネル５２１における電流と電圧を導出するための鋼シート５２４が設置され、第二ＰＣＢパネル５２１と第二ハウジング５１１との間には、第二防水粘着手段５２５が設置され、第二美容ランプ５２２には、第二美容ランプ蓋板５２６が設置される。そのうち、第二美容ランプ５２２は、赤色光、青色光及び緑色光を有することから、赤色光によりしわを解消し老化に勝つ効果を有し、青色光により、毛孔を縮んで皮脂腺の分泌を抑える効果を有し、緑色光により肌を美白させる効果を有するので、美容という役割が図れる。次に、鋼シート５２４は、第二外面ケース５２３に固定される。しかも、鋼シート５２４は、第二ＰＣＢパネル５２１に接続されることから、第二ＰＣＢパネル５２１における電流と電圧を鋼シート５２４の外面に伝達し、ＥＭＳ電波刺激を実現することに寄与でき、より良いマッサージと美顔の効果が得られる。
【００２９】
本出願の書類に使用されている標準的な部品は、いずれも、市場から入手されることが可能である。しかも、その内部の構造が従来技術における構造に該当しており、作業者は、従来技術の手順書に基づいて、それを正常に操作することができ、また、回路の接続についても、従来技術における通常通りの接続形態を用いることも可能であり、ここでは詳しい説明を省略する。
【００３０】
説明するべきところは、本明細書に上記の各実施例を説明したものの、本考案の保護しようとする登録請求の範囲を限定するわけではない。従って、本考案の創新理念に基づいて、本明細書における上記の実施例を変更したり、補正したり、又は、本考案の明細書及びその図面により均等構成や均等フローへの置換、直接又は間接に以上の技術手段を他の関連する技術分野に運用したりして得られたことは、いずれも、本考案の登録請求の範囲に含まれる。
【符号の説明】
【００３１】
１    胴体
２    マッサージヘッド
３    充電ハンドル
４    充電ホルダー
１１    底部ケース
１２    外面ケース
１３    コントロールパネル
１４    振動モーター
１５    取り付け面
１６    固定手段
１７    キー
１８    ＥＭＳ電波設定鍵
２１    取り付け座
２２    美容部材
２３    蓋体
３１    ハンドルハウジング
３２    リチウム電池
３３    充電端子
１３１    接点
１３２    設定指示ランプ
１３３    メインパネルＰＣＢ
１３４    変圧器パネルＰＣＢ
１３５    ランプパネルＰＣＢ
１５１    面部取り付け穴
１５２    貫通穴
２１１    第一ハウジング
２１２    第一接点
２１３    第一固定磁石
２２１    第一ＰＣＢパネル
２２２    正極梳ヘッド
２２３    負極梳ヘッド
２２４    第一美容ランプ
２２５    第一外面ケース
２２６    第一防水粘着手段
２２７    第一美容ランプ蓋板
５１１    第二ハウジング
５１２    第二接点
５１３    第二固定磁石
５２１    第二ＰＣＢパネル
５２２    第二美容ランプ
５２３    第二外面ケース
５２４    鋼シート
５２５    第二防水粘着手段
５２６    第二美容ランプ蓋板
【図１】
0003232761.tif 000003
【図２】
0003232761.tif 000004
【図３】
0003232761.tif 000005
【図４】
0003232761.tif 000006
【図５】
0003232761.tif 000007
【図６】
0003232761.tif 000008
【図７】
0003232761.tif 000009
【図８】
0003232761.tif 000010
【図９】
0003232761.tif 000011
【図１０】
0003232761.tif 000012
【図１１】
0003232761.tif 000013